(57)【要約】  ここに記載されたコンテンツ使用管理システム（Content Easement and Management System：ＣＥＭＳ）のある実施形態は、バンド幅／インターネットのアクセスプロバイダ及び構内操作者に、彼らのネットワーク及びインフラを介して提供される広告及びコンテンツに対して経験的に入口収益を追跡しかつ集金することを可能にし得る。広告コンテンツは、当該システムによって認識され、かつ選択的に、ユーザ端末へ転送される前にブロック及び／又は差し替えがなされ得る。広告の公表者は、彼らの広告コンテンツのユーザ端末への提供許可と引き替えに料金の支払いに同意することで、当該システムに登録され得る。
2015523632.tif 000002
【特許請求の範囲】
【請求項１】
ユーザ端末へのデジタルコンテンツの転送を制御する方法であって、
ネットワークノードにて、リモートシステム又はシステムから、前記ユーザ端末に表示されるべきウェブページのためのデータを受け取るステップと、
少なくとも部分的に、前記ウェブページのデータ中の第１の広告の自動確認をさせるステップと、
前記第１の広告に関連したデータから、前記第１の広告の公表者を確認するステップと、
少なくとも第１のネットワークを介して広告の一節と引き替えに料金の支払いに同意した公表者の識別情報を備えた登録データベースの中に前記第１の広告の前記公表者が含まれるかを自動的に決定するステップと、
少なくとも部分的に、前記第１の広告の前記公表者が登録データベースの中に含まれるとの決定に応答して、前記第１の広告は前記ユーザ端末に表示されるべきとの指示を生成するステップと、
少なくとも部分的に、前記第１の広告の前記公表者が登録データベースの中に含まれないとの決定に応答して、前記第１の広告は前記ユーザ端末に表示されるべきでないとの指示を生成するステップと、
前記ユーザ端末に関連したウェブブラウザに前記ウェブページを出力するステップとを備え、
少なくとも部分的に、前記第１の広告が前記ユーザ端末に表示されるべきとの前記指示に応答して、前記第１の広告が前記ウェブページに表示され、
少なくとも部分的に、前記第１の広告が前記ユーザ端末に表示されるべきでないとの前記指示に応答して、前記第１の広告が差し替えられ又は隠蔽される方法。
【請求項２】
ユーザ端末へのデジタルコンテンツの転送を制御する方法であって、
ネットワークノードにて、リモートシステム又はシステムから、ユーザの前記ユーザ端末に表示されるべき第１の文書のためのデータを受け取るステップと、
少なくとも部分的に、前記第１の文書のデータ中の第１の広告の自動確認をさせるステップと、
（ａ）前記第１の広告の公表者の識別情報、（ｂ）前記第１の広告のコンテンツ格付、又は（ｃ）前記第１の広告により提供された収益のうち１つ以上の特徴に、少なくとも部分的に基づいて前記第１の広告が許可可能かを決定するステップと、
前記第１の文書が前記ユーザ端末へ出力されるようにするステップとを備え、
前記広告が許可可能と決定された場合には、前記第１の広告が前記第１の文書の中に表示され、あるいは、
前記広告が許可可能でないと決定された場合には、前記第１の広告が差し替えられ又は隠蔽される方法。
【請求項３】
請求項２の方法において、
前記第１の広告が許可可能でない場合には、前記第１の広告が第２の広告によって差し替えられ又は隠蔽される方法。
【請求項４】
請求項３の方法において、
前記第２の広告は、少なくとも部分的に前記第１の広告のサイズの指示に基づいて選択される方法。
【請求項５】
請求項３の方法において、
前記第２の広告は、前記１つ以上の特徴に基づいて許可可能である方法。
【請求項６】
請求項２の方法において、
前記第１の広告は、前記第１の広告の前記公表者が登録データベースの中に含まれる場合に許可可能であって、前記登録データベースは、広告の一節と引き替えに料金の支払いに同意した公表者のリストを有する方法。
【請求項７】
請求項２の方法において、
前記第１の広告は、前記第１の広告の前記公表者がブロックリストデータベースの中に含まれる場合に許可可能でない方法。
【請求項８】
請求項２の方法において、
前記第１の広告は、前記提供された収益が特定の閾値を上回る場合に許可可能である方法。
【請求項９】
請求項８の方法において、
前記閾値は、表示の数あたりの料金、クリックあたりの料金、又は広告収益の一部のうち少なくとも１つである方法。
【請求項１０】
請求項２の方法において、
前記第１の広告が表示されるかの記録を格納するステップを更に備えた方法。
【請求項１１】
請求項１０の方法において、
少なくとも部分的に、前記記録がネットワーク操作者又はインターネットアクセスプロバイダに提供されるようにするステップを更に備えた方法。
【請求項１２】
請求項２の方法において、
許可ルールの適用を含む１つ以上の特徴に基づいて、前記第１の広告が許可可能かを決定する方法。
【請求項１３】
請求項１２の方法において、
前記許可ルールは、ネットワーク操作者又はインターネットアクセスプロバイダにより設定される方法。
【請求項１４】
請求項１２の方法において、
前記許可ルールは、少なくとも部分的に前記ユーザにより設定される方法。
【請求項１５】
請求項２の方法において、
前記第１の広告が差し替えられ又は隠蔽される場合に、前記第１の広告の前記公表者にメッセージを送るステップを更に備えた方法。
【請求項１６】
プロセッサと、
前記プロセッサにより実行されたときに次のような動作を達成するように設定されたプログラムを格納する有形かつ非一時的な媒体とを備えたシステムであって、
前記動作は、
ネットワークノードにて、リモートシステム又はシステムから、ユーザのユーザ端末に表示されるべき第１の文書のためのデータを受け取るステップと、
少なくとも部分的に、前記第１の文書のデータ中の第１の広告の自動確認をさせるステップと、
（ａ）前記第１の広告の公表者の識別情報、（ｂ）前記第１の広告のコンテンツ格付、又は（ｃ）前記第１の広告により提供された収益のうち１つ以上の特徴に、少なくとも部分的に基づいて前記第１の広告が許可可能かを決定するステップと、
前記第１の文書が前記ユーザ端末へ出力されるようにするステップとを含み、
前記広告が許可可能と決定された場合には、前記第１の広告が前記第１の文書の中に表示され、あるいは、
前記広告が許可可能でないと決定された場合には、前記第１の広告が差し替えられ又は隠蔽されるシステム。
【請求項１７】
請求項１６のシステムにおいて、
前記第１の広告が許可可能でない場合には、前記第１の広告が第２の広告によって差し替えられ又は隠蔽されるシステム。
【請求項１８】
請求項１７のシステムにおいて、
前記第２の広告は、少なくとも部分的に前記第１の広告のサイズの指示に基づいて選択されるシステム。
【請求項１９】
請求項１７のシステムにおいて、
前記第２の広告は、前記１つ以上の特徴に基づいて許可可能であるシステム。
【請求項２０】
請求項１６のシステムにおいて、
前記第１の広告は、前記第１の広告の前記公表者が登録データベースの中に含まれる場合に許可可能であって、前記登録データベースは、広告の一節と引き替えに料金の支払いに同意した公表者のリストを有するシステム。
【請求項２１】
請求項１６のシステムにおいて、
前記第１の広告は、前記第１の広告の前記公表者がブロックリストデータベースの中に含まれる場合に許可可能でないシステム。
【請求項２２】
請求項１６のシステムにおいて、
前記第１の広告は、前記提供された収益が特定の閾値を上回る場合に許可可能であるシステム。
【請求項２３】
請求項２２のシステムにおいて、
前記閾値は、表示の数あたりの料金、クリックあたりの料金、又は広告収益の一部のうち少なくとも１つであるシステム。
【請求項２４】
請求項１６のシステムにおいて、
前記動作は、前記第１の広告が表示されるかの記録を格納するステップを更に含むシステム。
【請求項２５】
請求項２４のシステムにおいて、
前記動作は、少なくとも部分的に、前記記録がネットワーク操作者又はインターネットアクセスプロバイダに提供されるようにするステップを更に含むシステム。
【請求項２６】
請求項１６のシステムにおいて、
許可ルールの適用を含む１つ以上の特徴に基づいて、前記第１の広告が許可可能かを決定するシステム。
【請求項２７】
請求項２６のシステムにおいて、
前記許可ルールは、ネットワーク操作者又はインターネットアクセスプロバイダにより設定されるシステム。
【請求項２８】
請求項２６のシステムにおいて、
前記許可ルールは、少なくとも部分的に前記ユーザにより設定されるシステム。
【請求項２９】
請求項１６のシステムにおいて、
前記動作は、前記第１の広告が差し替えられ又は隠蔽される場合に、前記第１の広告の前記公表者にメッセージを送るステップを更に含むシステム。
【発明の詳細な説明】
【技術分野】
【０００１】
本願とともに外国又は国内の優先権主張が出願データシート中で特定されたいかなる出願も、３７ＣＦＲ１．５７のもと、ここに参照により組み込まれる。
【０００２】
ここに開示された実施形態は、例えば構内操作者による、インターネットアクセスをモニタしかつ制御するためのシステム及び方法に関する。
【背景技術】
【０００３】
インターネットは、多数の人々にとって必須のツールになってきている。インターネットは、検索、アプリケーションの実行、コンテンツの閲覧、他社との通信、家庭でのＥメール、ファイリング等を達成するのに利用される。
【０００４】
インターネットに関し、ユーザ及びアクセスプロバイダにとってプログラム及びコンテンツを管理することが困難になっている。特に、最近はコンテンツがウェブページに埋め込まれるので、ユーザ及びアクセスプロバイダにとって自己のデバイス上で閲覧し又は実行するコンテンツを管理することが困難になっている。例えば、インターネットは一般に、子供向け番組におけるタバコ広告のような特定のプロダクトプレースメントの制限や、制作された又はリアルタイムストリーミングのコンテンツをモニタすることを適切に許可しない。更に、消費者の観点から、インターネットには他の困難がある。公表者は、自己のページに、最高入札者への広告を表示したり、場合によっては私的情報にアクセスするスクリプトをインストールしたりするタグを追加することができる。埋め込まれたコンテンツはまた、ユーザの資金に損害を与えたり、ユーザのプライバシーを侵害したり、ユーザの接続デバイスに損害を与えたりし得る、ＴｒｏｊａｎやＲｏｏｔＫｉｔと呼ばれるようなウィルスをユーザにもたらすのに典型的に用いられる媒介物でもある。
【発明の概要】
【発明が解決しようとする課題】
【０００５】
本開示は、例えば構内操作者又はインターネットアクセスプロバイダによるインターネットアクセスをモニタしかつ制御するための方法及びシステムに関する。
【課題を解決するための手段】
【０００６】
以下は、１つ以上の観点の簡略化した要約を、そのような観点の基本的理解を提供するために、提供する。この要約は、全ての予期される観点の広範囲の概要ではなく、全ての観点の鍵となる又は緊要な要素を特定することを意図せず、また任意かつ全ての観点の範囲を叙述することをも意図しない。その１つの目的は、後述する更に詳細な説明への準備として、単純化された形で、１つ以上の観点のいくらかの概念を提供することにある。
【０００７】
１つの実施形態によれば、ユーザ端末へのデジタルコンテンツの転送を制御する方法は、ネットワークノードにて、リモートシステム又はシステムから、ユーザ端末に表示されるべきウェブページのためのデータを受け取るステップと、少なくとも部分的に、ウェブページのデータ中の第１の広告の自動確認をさせるステップと、第１の広告に関連したデータから、第１の広告の公表者を確認するステップと、少なくとも第１のネットワークを介して広告の一節と引き替えに料金の支払いに同意した公表者の識別情報を備えた登録データベースの中に第１の広告の公表者が含まれるかを自動的に決定するステップと、少なくとも部分的に、第１の広告の公表者が登録データベースの中に含まれるとの決定に応答して、第１の広告はユーザ端末に表示されるべきとの指示を生成するステップと、少なくとも部分的に、第１の広告の公表者が登録データベースの中に含まれないとの決定に応答して、第１の広告はユーザ端末に表示されるべきでないとの指示を生成するステップと、ユーザ端末に関連したウェブブラウザにウェブページを出力するステップとを備え、少なくとも部分的に、第１の広告がユーザ端末に表示されるべきとの指示に応答して、第１の広告がウェブページに表示され、少なくとも部分的に、第１の広告がユーザ端末に表示されるべきでないとの指示に応答して、第１の広告が差し替えられ又は隠蔽される。ある実施形態では、広告呼び出しの取得をネットワークノードがブロックし得る。ある実施形態では、広告を認識するよりもむしろ、例えば、目的とする情報、ＵＲＩ（uniform resource identifier）又はＵＲＬ（uniform resource locator）を収集するために置かれるクッキーに基づいて、データアグリゲータを当該ノードが認識し得る。
【０００８】
ある実施形態は、ユーザ端末へのデジタルコンテンツの転送を制御する方法であって、ネットワークノードにて、リモートシステムから、ユーザのユーザ端末に表示されるべき第１の文書のためのデータを受け取るステップと、少なくとも部分的に、第１の文書のデータ中の第１の広告の自動確認をさせるステップと、（ａ）第１の広告の公表者の識別情報、（ｂ）第１の広告のコンテンツ格付、（ｃ）第１の広告により提供された収益、及び（ｄ）公表者のアカウント状態のうち１つ以上の特徴に、少なくとも部分的に基づいて第１の広告が許可可能かを決定するステップと、第１の文書がユーザ端末へ出力されるようにするステップとを備え、広告が許可可能と決定された場合には、第１の広告が第１の文書の中に表示され、あるいは、広告が許可可能でないと決定された場合には、第１の広告が差し替えられ、隠蔽され、又は除外される方法を有する。
【０００９】
ある例示的な実施形態は、プロセッサと、プロセッサにより実行されたときに次のような動作を達成するように設定されたプログラムを格納する有形かつ非一時的な媒体とを備えたシステムであって、動作は、ネットワークノードにて、リモートシステムから、ユーザのユーザ端末に表示されるべき第１の文書のためのデータを受け取るステップと、少なくとも部分的に、第１の文書のデータ中の第１の広告の自動確認をさせるステップと、（ａ）第１の広告の公表者の識別情報、（ｂ）第１の広告のコンテンツ格付、（ｃ）第１の広告により提供された収益、及び（ｄ）公表者のアカウント状態のうち１つ以上の特徴に、少なくとも部分的に基づいて第１の広告が許可可能かを決定するステップと、第１の文書がユーザ端末へ出力されるようにするステップとを含み、広告が許可可能と決定された場合には、第１の広告が第１の文書の中に表示され、あるいは、広告が許可可能でないと決定された場合には、第１の広告が差し替えられ、隠蔽され、又は除外されるシステムを提供する。
【００１０】
開示された観点は、以下、例示のために、かつ開示された観点を制限することなく提供された、添付の図面に関連して、説明される。ここで、同一の符号は同一の要素を意味する。
【図面の簡単な説明】
【００１１】
【図１】コンテンツ使用管理システムの構成例を示す図である。
【図２】アクセスプロバイダ及び／又はユーザが予め決定した設定に基づいて、選択されたコンテンツのアクセスを許可し又は制限する方法の例を示す図である。
【図３】ユーザインターフェイスの例を示す図である。
【図４】公表者のインターネット証明書を確認してシステムルールを適用するプロセスの例を示す図である。
【図５】ユーザインターフェイスの他の例を示す図である。
【図６】公表者のインターネット証明書を確認してシステムルールを適用するプロセスの他の例を示す図である。
【図７】ユーザインターフェイスの更に他の例を示す図である。
【図８】公表者のインターネット証明書を確認してシステムルールを適用するプロセスの更に他の例を示す図である。
【発明を実施するための形態】
【００１２】
ここに記載されたコンテンツ使用管理システム（Content Easement and Management System：ＣＥＭＳ）のある実施形態は、バンド幅／インターネットのアクセスプロバイダ及び／又は構内操作者に、彼らのネットワーク及び／又はインフラを介して提供されるコンテンツをモニタしかつ修正することを可能にし得る。
【００１３】
ここに記載されたＣＥＭＳのある実施形態は、バンド幅／インターネットのアクセスプロバイダ及び／又は構内操作者に、彼らのネットワーク及び／又はインフラを介して提供される広告及び／又はコンテンツに対して経験的に（例えば、標準ベースに基づく）入口収益を追跡しかつ集金することを可能にし得る。必要に応じて、これらの収益は、インターネットアクセスを可能にするためのアクセスプロバイダのインフラコストを低減し又はこれにオフセットを与えることにより、消費者アクセスコストを低減し又はなくするために導入され得る。これに加えて又はこれに代えて、そのような収益は、より上質のコンテンツへのアクセスを増強し、かつポップアップのような心を悩まし又は関係のないコンテンツや、典型的に消費者により望まれることのない心を悩ます広告を制限することにより、消費者のアクセス経験を改善するために使用され得る。
【００１４】
今日、アクセスプロバイダは、不適切かつ場合によっては有害なコンテンツが彼らのネットワークを流れることから彼らの顧客を守るための多くのツールを有していない。大抵は、アクセス前に諸条件を受け入れることをユーザに要求することによって、責任の転嫁又は回避が認められる。消費者及びアクセスプロバイダは、しばしば、既知の疑わしいコンテンツを探すためにウィルス保護を導入するが、このアプローチはフールプルーフでない。更に、ウィルス保護には、出費がかさみ、かつシステム全体及び描画のパフォーマンスを低くするという不利益がある。
【００１５】
場合によっては危険なコンテンツに加えて、広告主は、消費者に届くように高額を支払っている。広告コンテンツを集めかつ制御する比較的少ない数の会社が、次第に力を持ちつつある。これと対照的に、しばしば多くの出費をしてインターネットアクセスを可能にするプロバイダは、広告収益を共有せず、しばしば、インターネットアクセスを可能にしかつ維持するために、消費者に対して彼らのアクセス料金を値上げすることを余儀なくされる。加えて、これらの強力なアグリゲータは、これらの消費者に関する、チェックされず、モニタされない大量の情報を収集するための暗黙のプログラムをインストールすることもある。
【００１６】
例えば、１０年足らずの間に、制限された又は極小コンテンツのホームページを持った小さい検索エンジン会社（Ｇｏｏｇｌｅ）が、インターネット広告の配置を制御することに由来する入手収益のほとんどを有する最も強力な会社の１つに成長したことを考えてみよう。いくらかの会社は、ハッキング、セキュリティ侵害、プライバシー問題、不公正取引問題、効果的な支払済みの検閲等の理由で、連邦当局によって調査され又は罰金を科されている。一方で、広告を配信するネットワークに支払いを行う構内操作者及びアクセスプロバイダは、またそのリソースがコンテンツを描くために使用される消費者も、これらの収益を共有せず、比較的少数のアグリゲータによって収益が保有されるのである。
【００１７】
消費者は、プログラム又はコンテンツへの低コスト又は無コストのアクセスが、支払われた広告によって援助されているということを受け入れるようになるが、これが産業にどのような影響を与えているかを理解している者は少ない。上記のように、インターネットアクセスプロバイダ及び構内操作者は、高いバンド幅コストを支払って、消費者のためにコンテンツへの便利なアクセスを可能にするため、より多くのアクセス装置を購入している。その間、アクセスプロバイダ及び構内操作者は、広告主又はこれらの広告の配信を制御する数少ない会社から、収益を少ししか又は全く受け取っていない。コストを下げ又は収益を上げるために、アクセスプロバイダ及び構内操作者は、消費者にバンド幅又はサイトアクセスを制限したり、向上した利便性により多くの支払いを求めたり、という手段に訴えてきた。例えば、彼らは、高品質経験のための層アクセスを提供し、あるいは重いストリーミングコンテンツで有名なサイトをブロックする。単純にバンド幅を制限したり、特定のインターネットデスティネーションをブロックしたりすることは別として、アクセスプロバイダ及び構内操作者は、彼らの構内に表示され、また彼らの装置を経由して配信されるコンテンツ及び広告を制御し又は収益化するための適切な能力を欠いている。大量のコンテンツを消費するいくらかのユーザは、効率的に任意のチャンネル／ＵＲＬに合わせて、不均等な量の共有バンド幅（ｃｌｏｇ）を消費し、所望のプログラムを視聴し、あるいはアクセスプロバイダの認知又は許可なしに当該アクセスを不適切に使用することができ、これは典型的に他人の経験を劣化させる原因となる。
【００１８】
これらのサービスを消費者が損をすることなく利用できるようにするために、多くのアクセスプロバイダは、アクセスの責任を転嫁し、また多くは、バンド幅を制限し、又は層化された料金設定を作り出し得る会社になった。さもなければ、インターネットアクセスプロバイダ及び構内操作者のためのモデルは、バランスを欠いたものになる。
【００１９】
ＣＥＭＳのある実施形態は、広告主、消費者及びインターネットアクセスプロバイダのために、バランスを回復し、測定可能かつ監査可能な公平な競争の場を作り出すことによって、従来のアプローチにおける前述の課題のいくらか又は全てを扱う。
【００２０】
ＣＥＭＳの実施形態は、ネットワークに接続され、かつ／又は専用ハードウェアの利用を介して接続された１つ又は複数のコンピュータシステム（１つ以上の処理デバイスを含む。）上で動作し得るソフトウェア又はファームウェアとして実装され得る。図１は、エンドユーザと、エンドユーザアクセスを可能にするネットワークアクセスプロバイダとの双方の保護を可能にし得る例示的構成を示している。他の要素及び構成も同様に使用可能である。
【００２１】
図１では、ユーザがウェブページ又はアプリケーションを閲覧し、このウェブページが異なるソースからの、しばしば動的に生成されてユーザの接続デバイスに到達した後でなければ決定されない、多数のコンテンツを含むものとする。例えば、接続デバイスは、ディスプレイ及びユーザ入力デバイスを含む端末であり得る。限定されない例示によれば、端末は、汎用コンピュータ、ラップトップコンピュータ、タブレットコンピュータ、電話、ネットワークテレビジョン、ゲームデバイス等の形態であり得る。この例示では、コンテンツ公表者は、コンテンツソースと、転送されるコンテンツのタイプと、コンテンツ格付と、アクセスプロバイダ及びエンドユーザに対する当該コンテンツの安全性及び価値を評価するために用いられ得る他の属性とを識別するＨＴＭＬタグとともに公表される、いくらかの又は全てのコンテンツを提供し得る。したがって、例えば、タグは、モニタされ得て、かつ少なくとも部分的にタグ又はコンテンツの検査に基づいて、いずれのコンテンツが表示されるべきであるか、またいずれのコンテンツがブロックされ又は他のコンテンツに置き換えられるべきかの決定がなされ得る。
【００２２】
例示の目的で、図１は、ＣＥＭＳによりコンテンツ１及びコンテンツ２は許可されるが、コンテンツ３は（例えば、アクセスプロバイダ、構内操作者及び／又はユーザにより特定される）要件を満たさないために、他のコンテンツ又はページレイアウトに影響を及ぼすことなくＣＥＭＳによりブロックされ又は置換されることを示している。この例で、コンテンツ１は、コンテンツ１、及び／又は、関連するタグ（例えば、ＨＴＭＬタグ）又はページコンテンツのような関連するメタデータの調査により決定されるように、出所の知られたニュース記事であり得る。タグ又はページコンテンツは、公表者が、例えばＣＮＮ又はウォールストリートジャーナル（Wall Street Journal）であると識別するかもしれない。コンテンツタイプは、タグ等を介して、ニュースとのラベル付けがなされ得る。また、料金（例えば、アクセスプロバイダ又は構内操作者により、あるいはＣＰＭ（Cost per mille/thousand）により、あるいはＣＰＣ（Cost per click）により、あるいは公表者又は広告主が支払おうとする他の料金（例えば、収益）により、課金される。）は、タグ等を介して、０．００ドルと特定され得る。また、イベントタグ（例えば、マウスクリック時、広告ローディング時、ページロード時等）は、ゼロ値、あるいは時間ベース又は量ベースであり得るトークンを有し得る。種々の実施形態で、１つ以上のタグ及び／又はタグ値は、除外され得る。例えば、詳細は後述するように、ある実施形態では、料金、コンテンツタイプ、高さ、並びに／又は、他の属性及び関連するタグは、除外され得る。ある実施形態では、広告の表示が許可されるかどうかの決定は、最優先の契約に基づいてなされ得る。例えば、全ての広告のうちの２０％は、広告受注会社が現在登録されている限り、受注され得る。支払いは、データに基づいて後ほど調整され得る。
【００２３】
ある実施形態にて、ネットワークプロバイダにより課金／集金される料金は、ＣＰＭの２０％というような、前もって合意した条件に基づいて、ＣＥＭＳに関連したレジストリにより決定され又はそのレジストリの中で特定され得る。必要に応じて、その料金が受け容れ可能でなく、あるいは他の広告主がより高い料金を支払う用意があるなら、アクセスプロバイダは、より高い料金を提示している広告主からの広告を選択することを、ＣＥＭＳを介して選択し得る。コンテンツ２は、ＤｏｕｂｌｅＣｌｉｃｋやＶａｌｕｅＣｌｉｃｋのような、有名な広告取扱プロバイダからの広告であり得る。コンテンツタイプは広告、料金は（上記のように）０．００１ドル、イベントはユーザが広告をクリックした場合の付加的な動作を含み得る。この例では、コンテンツ３は、これもまた広告ではあるが、識別情報のための必要なタグを含まず、かつ／又は、与えられたサイトのためのコンテンツ格付のような、格付料金によって表示されるように、許可基準を満足することに失敗した。ＣＥＭＳはコンテンツ３及び／又は関連するタグを調べ、かつソース識別情報及び／又は許可基準のテストに失敗したかを決定する。ある実施形態では、ＣＥＭＳは、広告の表示を記録し、かつ広告サーバのＵＲＩ又は他の識別情報を文書で証明し得る。広告主には、後日請求書が送られ得る。あるいは、もしその広告主が（例えば、不払いのために、あるいは支払契約への入会に失敗したために）現在有効なアカウントを有していない場合には、その広告がブロックされ得る。
【００２４】
ある実施形態では、広告料技術がシステムによって導入され得る。１つの例示的な実施形態では、１つ又は複数の料金所の場所又はサイトがレジストリに登録され、与えられた料金所の場所がユーザへの配信に全部又は一部が基づいて広告の一節を記録している。
【００２５】
必要に応じて、ネットワークプロバイダ及び／又は公表者のために、広告に関する支払いが提供されるように、広告が配信されなければならない。１つの選択的な実施形態では、もし広告が複数のネットワーク操作者のネットワークを横断するなら、その広告に関する収益又は支払いは、複数のネットワーク操作者の間で、またある環境では、その広告が配信されたユーザとの間で分けられ得る。例えば、広告がエンドユーザ端末に届くまでに三者のネットワーク操作者のネットワークを横断し、かつそのネットワーク操作者の各々（及び必要に応じてユーザ）がシステムに登録されているなら、収益は少なくとも部分的に１つ又は複数のネットワークパラメータ（ネットワークセグメントの数（例えば、ネットワーク操作者Ａはその広告をポイントＡからＢへ国内ネットワークリンクを介して転送し、ネットワーク操作者Ｂはその広告をポイントＢからＣへローカルＩＳＰリンクを介して転送し、ネットワーク操作者Ｃはその広告をポイントＣからユーザ端末へＷｉＦｉネットワークを介して転送する。）、距離又はホップの数（例えば、選択的に与えられたルータ／ルートが関連する詳細コストを有し得る、送信者から受信者までのルータ又はルートの数））をもとに分けられ、かつ／又はいくらのパーセンテージか又は収益カットが広告タグそのもの、レジストリルール、及び／又はその他により表示され得る。ネットワークパラメータは、収益／料金をいかに分けるかを決定するにあたり、均等に又は不均等に重み付けがなされ得る。
【００２６】
アクセス要件は、必要に応じて、アクセスプロファイル記録にて、顧客又はアカウント管理者によりアクセスされたウェブアプリケーション又はクライアントアプリケーションを介して、構成されかつ管理され得る。このプロファイルは、物理ロケーション、バンド幅特性、仮想ロケーション、コストメトリクス、又はホテル属性又は小規模コーヒーショップ業のようなロケーションタイプ、及びその他の特徴に基づく、ルール又はアクセス閾値を含み得る。ルールは、アカウント、物理又は論理ネットワーク、仮想ネットワーク特性、及び／又は、無料のアクセス、有料の制限されたアクセス、又は有料のフルアクセスのような、しかしこれらに限定されない接続のタイプに基づいても構成され得る。これらのルールは、自動的に又は動的に、アクティブＵＲＬ、ページコンテンツ、1日の時間、1週間の曜日、使用目的、時事、又はダイナミックコンテンツのトリガ若しくは目標設定に影響を及ぼし得る他の要素のような、リアルタイムな要素又は条件に基づいても生成され得る。
【００２７】
ここで、例示の処理フローを示す非限定の例を説明する。ユーザは、ネットワーク利用及び広告をカバーする契約条件（例えば、受け容れコントロールをクリックし、又は契約条件の受け容れを他の方法で示す。）で、（私的に所有された）フリーパブリックＷｉＦｉネットワークホットスポットにアクセスし得る。ユーザが私的ネットワークを介してウェブページのようなインターネットコンテンツにアクセスするとき、私的ネットワークのために私的ネットワーク操作者によって定められるルールは、システムに、例えば、適切な格付、公表者ＵＲＬ又はノード、及び／又は、アクセス料金又は収益閾値のような予め定められた合意のような、特定の条件に基づいて、特定の広告が私的ネットワークを通過することを選択的に可能に（又はブロック）させ得る。更に例を示せば、広告主は、広告を返すために、ＨＴＭＬタグ及びＵＲＬ参照を利用し得る。広告タグは、ＨＴＭＬプレースホルダーの形式であり得て、ページ（例えば、ＨＴＭＬウェブページ）がサービスされるときに、公表者により挿入され得る。必要に応じて、そのページがユーザ端末に届くとき、タグスクリプトがブラウザによって実行され、クッキーデータ、ＩＰアドレス、及び／又は、現在のＵＲＬのような情報を広告プロバイダシステムへ返す。これにより、広告プロバイダが、そのユーザにとって重要かつ最善の広告を自動的に選択することが可能になる。広告イメージは、そのページの中に現実には無いかもしれない。その代わり、そのイメージを見つけ出すプログラムへの参照が、タグの中に含まれ得る。ＣＥＭＳは、私的ネットワーク操作者のルールを適用して、このタグを解析し、かつ／又は、そのタグの特性をプログラム的に参照し、かつ、もしコンテンツ格付が当該閲覧者及び／又はロケーション（例えば、閲覧者が見ているウェブサイト又はＷｉＦｉホットスポットを収容している構造物）にとって適切でないと、（例えば、コンテンツ格付タグを検査することにより、あるいは表示すべき対象に問い合わせることにより）判断された場合には、この広告を表示すべきでないと決定し得る。例えば、ホットスポットを有するコーヒーショップは、猥褻な又は攻撃的な題材が、そのコーヒーショップの中でホットスポットにアクセスするユーザ端末に表示されることを望まないだろう。ルールは、ＣＥＭＳにより適用されるように、収益貢献と、ネットワーク操作者により予め特定された、又は他の方法で特定された受け容れ閾値とを比較することによって、（例えば、適切なタグを検査することにより、）この特定の広告に対する収益貢献の評価をもなし得て、また、もし収益貢献がその受け容れ閾値を下回っていると決定した場合には、その広告がネットワークを通過することを許可しないことの選択をもなし得る。
【００２８】
この例にて、もし（ネットワーク操作者によって予め特定されるように、あるいは他の方法で特定されるように）収益が受け容れ閾値を上回るとＣＥＭＳが決定し、かつその広告が通過するようにルールが示しているならば、システムは、その広告がユーザ端末へ配信されることを可能にし、必要に応じて、公表者、広告、その広告による収益、その広告が通過する１つ又は複数のネットワーク、及び／又は、他のそのような情報を識別するタグ情報のような、関連するタグ情報のいくらか又は全てに関連して、その広告の配信がシステムにより記録され得る。誰から収益が集められるべきかを決定するために、そのような格納されたタグ情報がＣＥＭＳにより又は別の方法で利用され得る。例えば、ＣＥＭＳは、広告の登録された公表者から収益を集める（例えば、課金する）ために、タグ情報を使用し得る。
【００２９】
複数の私的ネットワーク（予めネットワーク中に登録された）を広告が通過しなければならず、例えばまずインターネットサービスプロバイダ（ＩＳＰ）を通過し、次に操作者の私的なホテルネットワークを通過し、最後にホテルの営業許可を受けたショップにて動作するＷｉＦｉネットワークへ至るようなシナリオでは、収益の一部がこれらの操作者の間で均等に、あるいはネットワークの長さ、コスト、ルータの数、又はネットワークの他の同様の特性に基づいた計算により、分けられ得る。必要に応じて、そのネットワークが広告の転送する、ネットワークの全ての私的操作者がそのような収益を受ける権利を有するとは限らない。必要に応じて、ユーザ端末（例えば、コンピュータ）がこの配信に（例えば、広告を受信しかつ表示することにより）寄与し、そのユーザ及び／又はユーザ端末に関してルールが適用される場合には、そのユーザは、コンテンツの配信を可能にする収益をシェアし得る。レジストリは、またユーザ特定データを格納し、かつそのユーザが、ネットワーク操作者と同一の又は同様の方法でコンピュータに入るコンテンツの許可又は禁止を決定するルールを作ることをも可能にし得る。
【００３０】
必要に応じて、ＣＥＭＳは、コンテンツの主題に基づく検閲はせず、ソースを確認して、そのソース確認結果をもとに、ユーザ端末に表示されるようにコンテンツが供給されることを選択的に可能にし、あるいはそのような表示が起きることを回避し得る。例えば、ＣＥＭＳは、必要に応じて、公表者の確認を助けるための、またアクセスプロバイダ及びユーザが彼らの装置を収益化するのを助けるために、独立した登録システムとして動作する。
【００３１】
この例として、ＣＥＭＳは、少なくとも部分的にアクセスプロバイダの及び／又はユーザの設定に基づいて、コンテンツのアクセスを選択的に許可し又は制限するために、図２に示された例示のプロセスを導入し得る。従来のＵＲＬ又は広告ブロッカのアプリケーションと違って、ＣＥＭＳは、その代わりに又はそれに加えて、そのコンテンツが彼らの装置を通過し及び／又はユーザ端末（例えば、ラップトップ、タブレット、デスクトップ、携帯電話、ネットワークテレビ等）へ供給されることが許可されるとアクセスプロバイダ及び／又はユーザの定義されたルールが示すかどうか、あるいは、そのコンテンツが彼らの装置を通過し及び／又はユーザ端末へ供給されることがないとそのルールが示すかどうかを決定するために、与えられたコンテンツ要素のソース及び属性を確認し得る。ある実施形態では、複数のネットワークプロバイダがその転送に関与する。ある実施形態では、ユーザに最も近いネットワークプロバイダが、ルールを決定し、かつ／又は、コンテンツが彼らの装置を通過することを許可するについて、最も高い優先権を有し得る。
【００３２】
加えて、アクセスプロバイダ又はユーザは、受け取り額に応じて、コンテンツが通過しかつ／又は表示されることを許容し得る。例えば、アクセスプロバイダは、ユーザの接続を可能にするのに必要な装置のコストを相殺するのに役立つ料金をとって、広告コンテンツが彼らのネットワークを通過することを許容し得る。他の例として、特に広告を好まないが、無料アクセス又は契約と引き替えに、そのユーザ端末へのそのような広告の表示を選択的に進んで受け容れるユーザもあり得る。しかしながら、例えば、そのユーザは、バンド幅が制限され又はシェアされている場合には、その広告のタイプ又はサイズ（例えば、バイト数の点から）を制限することを希望し得る。したがって、システムは、サイズ、タイプ（例えば、テキスト、グラフィック、写真、ビデオ、及び／又は音声）、ソース、格付等を含み、広告がユーザに表示されることを許可するかどうかを決定するためにシステムにより使用される、受け容れ基準をユーザが特定することを可能にし得る。この形式の広告制御は、より大きいバンド幅を可能にするためにしばしばより多くの出費をしているアクセスプロバイダに気に入られ得る。望まれないコンテンツが彼らのシステムを通過することを制限することにより、アクセスプロバイダは、コストを低減し、かつネットワーク層のハンド幅を調整する高価な装置の導入を必要とすることなくユーザの閲覧経験を改善することができる。
【００３３】
公表者及びネットワーク登録システムは、公表者及び広告主がレジストリに彼らのエンティティ、ＵＲＬ（又は他の場所を示す情報）、及び必要に応じて、公表者カテゴリ（単数又は複数のカテゴリ）、連絡情報、収益共有パーセンテージ、コンテンツのタイプ、格付ステータスのような他の特定のデータを登録することを許可し得るクライアントプログラム又はインターネットアプリケーションとして導入され、必要に応じて、これらの登録者が登録プロファイルを管理するためのアカウントを生成することを可能にし得る。
【００３４】
公表者及びネットワーク登録システムは、必要に応じて、公表者の名前、事業エンティティ、公表者ＵＲＬ、その公表者に割り当てられた又はその公表者により使用された１つ又は複数のＩＰアドレス、公表されたコンテンツのタイプ、公表者の自己決定格付（例えば、年齢適性格付、暴力格付、性的内容格付、卑猥な言葉の格付等）、公衆の又は産業上の受け容れ格付（例えば、年齢適性格付、暴力格付、性的内容格付、卑猥な言葉の格付等）、あるコンテンツに関する料金、及び／又は、当該レジストリが公表者を正確に定義しかつ確認することを可能にするための他の情報を含み、かつこれらに限定されない、コンテンツ公表者に関する特性を格納するための、データベース又は他の格納データを利用し得る。
【００３５】
ある実施形態では、公表者及びネットワーク登録システムは、中央コンピュータ（複数の地理的に分散配置されたシステムからなってもよい。）のデータベースとして導入され得て、公表コンテンツを閲覧者へ通過させるかどうかを決定するにあたり、ネットワークノードにより参照される。この技術は、ある情報が個々の広告タグから除外されることを可能にする。例えば、特定の公表者のための料金体系が標準化され得て、その公表者により提供された所与のサービスを受けた広告は、その特定の料金体系が割り当てられ得る。したがって、その料金体系は、個々の広告タグに含まれる必要がなく、公表者及びネットワーク登録システムを含む中央コンピュータから検索され得る。
【００３６】
他の実施形態では、公表者及びネットワーク登録システムは、データベース又はリストがネットワーク（例えば、インターネット）上の分散した場所にコピーされる、シンジケートデータベース又はリストとして導入され得る。例えば、その分散した場所は、一連の分散したサーバ又はプロキシを含む。上記のように、これは、タイプ、料金等のような、個々の広告タグから、ある情報が除外されることを許容し得る。
【００３７】
したがって、登録された広告のデータベースは、例えば、ＨＴＭＬページ経由で、シンジケート参照リストとして、及び／又は、中央参照リストとしてを含む、多数の方法でアクセスされ得る。これらのアプローチのいずれでも、ある広告主が料金の支払いに同意しているかどうかは、データベースに問い合わせをすることにより決定され得る。もしその問い合わせに対して、広告主は料金の支払いに同意していないとの表示をもってデータベースが応答した場合には、そのコンテンツはブロックされ、その代わりに他のコンテンツが提供され得る。
【００３８】
フロード、なりすまし、若しくは他の確認回避方法を防止し又は抑制するために、公表者及びネットワーク登録システムは、必要に応じて、公表者を更に確認するために、例えばインターネットディレクトリネームサービス（ＤＮＳ）のような、他の認証機関又はリストサービスを利用し得る。例えば、インターネットＤＮＳは、Ｙａｈｏｏ．ｃｏｍ、Ｇｏｏｇｌｅ．ｃｏｍ、ＮＹＴｉｍｅｓ．ｃｏｍのようなＵＲＬを分析して、ＵＲＬ又はＵＲＩを表す物理ＩＰアドレス又は他のそのような参照アドレスに翻訳するサービスであって、コンピュータやルータがその各々のインターネットサービスを接続できるようにするものである。例えば、Ｙａｈｏｏ．ｃｏｍのためのインターネットＰＩＮＧは、ＡＴ＆ＴをホストとするＤＮＳサービスから209.191.122.70を返す。Ｇｏｏｇｌｅ．ｃｏｍ及びＮＹＴｉｍｅｓ．ｃｏｍのためのＰＩＮＧは、74.125.224.180及び199.239.136.200をそれぞれ返す。この情報は、公表者の整合性を確認するために、公表されたコンテンツソースアドレスと、登録されたアドレスとを比較照合するように、システムにより使用され得る。
【００３９】
例えば、図３は、公表者のインターネット証明書の確認を助けるための、ＤＮＳの利用を更に例示している。ある実施形態では、パートナーとしてレジスタの役割を果たすのを助けるために、ＤＮＳが拡張され得る。図示の例では、人気のスポーツデスティネーションサイト１００が最新のスポーツニュース２００を提供しつつ、その記事の隣に又は同じ行に、大きな広告ネットワーク又は周知の広告主３００からの広告が埋め込まれている。
【００４０】
この例では、スポーツニュースサイト１００は、公表者及びネットワーク登録システムに公表者として事前に登録され、そこから当該サイト１００が公表する既知のＩＰアドレスがリストされている。公表されたニュース記事２００は、各々のレジストリ識別子とその記事２００のコンテンツに関する他の属性とを参照するＨＴＭＬコンテンツタグに組み込まれる。同様に、広告主３００もまた、広告及び／又は広告タグを供給して、彼らのコンテンツを、各々のレジストリ識別子とその広告主により提供されたコンテンツ（広告）を記述する属性とを参照するＨＴＭＬタグに組み込む。
【００４１】
例によれば、広告主は、そのエンティティとＩＰアドレスとを登録し得て、それらは、システムにより、その広告主の広告を配信する際に、その広告主を認証するために使用され得る。広告主は、システムにより提供されたフォームを介して、又は他の方法により、その広告主の支払い済みの広告に適用され得る収益共有条件（例えば、２５％の一般収益持分）をも特定し得る。必要に応じて、広告タグ自体が、公表者、広告、広告寸法、広告タイプ（例えば、ＣＭＰ、ＣＰＣ等）、収益（例えば、インプレッションごとの広告収益）、広告格付（例えば、Ｇ、青少年、ＰＧ、ＰＧ１３、Ｒ、成人等）、広告イベント（例えば、クリックごとの支払）、広告エンコードフォーマット（例えば、ＵＴＦ）等を特定する属性（例えば、値の対）を含み得る。特定の例示的な広告に関連し得る属性の例は、
公表者ＩＤ＝２３４、
広告ＩＤ＝監査のために特定のインプレッションを追跡する際の数値、
広告のサイズ／形、
広告の高さ＝３００、
広告の幅＝２５０、
広告のタイプ＝ＣＰＭ、
広告収益＝０．０００１／広告又は０．１／１０００インプレッション、
広告格付＝Ｇ、
広告イベント＝クリックごとの支払、
広告ローカル＝ＵＴＦ、
のようである。
【００４２】
前述のように、ある実施形態では、１つ以上のこれらの属性が広告タグ自体から除外され得る。システムは、その広告の詳細と、その広告が通過するネットワークとを示し、かつ必要に応じてその広告が配信されかつ／又はユーザ端末に表示されたことの識別情報を含む、監査記録レポートを格納し、保持し、かつ供給／出力し得る。
【００４３】
したがって、ある実施形態では、広告ネットワークは、システムに登録され得て、その広告に関連する広告ネットワークのデータの中にネットワーク識別子を含み得る。
【００４４】
必要に応じて、前述のタグ及び／又は他の関連するタグは、（比較的速いがエンドユーザ及び競争者によって見られ得る）タグ属性を介して、かつ／又は、収益額の問い合わせをし、かつ、閲覧者端末に配信されるようにその広告を通過させ、又は、その広告が閲覧者端末に届くこと及び／又は閲覧者端末に表示されることを妨げる際に用いられるべき、対応するアクセスルールをシステムが識別することを可能にする、広告ＩＤのような識別子を用いてルックアップが実行される参照ルックアップテーブルを介して、支払われた収益を公表者が公開し得るように、公式標準又は非公式標準の基礎を形成し得る。もしその広告が閲覧者端末に届くことを妨げられるならば、禁止された広告から代わるように、システムにより他の広告が選択されかつ置き換えられ（例えば、ユーザの対象者属性及び／又はユーザの興味に基づいて、又はユーザ特定情報を考慮することなく）、その置換広告がユーザ端末に周囲のコンテンツ（ある場合）とともに表示され得る。
【００４５】
この例示の目的で、広告主からの広告が１つ以上のネットワークプロバイダシステムを通過することを許可され、かつユーザ端末に表示されることを許可されるかどうかを決定するに際し、
その広告主は、以前にレジストリに登録されていない、
その広告主は、以前にレジストリに登録され、かつ、その広告主の広告がユーザ端末への通過が許されることを許可するために確認されるべき全ての情報を提供している、
その広告主は、以前にレジストリに登録されているが、確認されるべき全ての情報を提供してはいない、
その広告主は、以前にレジストリに登録されているが、料金不払い又は支払い契約への加入をしていないため、その広告主のアカウントが有効でない、
その広告主は、以前にレジストリに登録され、かつ確認されるべき全ての情報を提供しているが、特定の条件により、あるいは、少なくとも部分的にネットワーク所有者により設定されたルールに基づき、通過を許可されていない、
タグは以前に登録された広告主を表示しているが、認証の失敗又は明白な不正により、禁止されている、
というシナリオが起こり得る。
【００４６】
例示の目的でこの例を簡略化するために、スポーツサイト１００は以前に公表者及びネットワーク登録システムに登録され、かつ彼らのコンテンツが通過することを許可するために必要な全ての認証基準を満たすと仮定し、この認証の例の広告主のみを考えよう。図４は、この例を示すのに役立つ。
【００４７】
もしＨＴＴＰ及び同様のインターネットプロトコルがコンテンツをソース公表者にリンクするためにＵＲＬ参照を使用するならば、この場合の広告主３００のコンテンツは、サイト公表者１００から直接に、あるいは、広告タグ又は広告主３００のコンテンツ若しくは広告へリンクするＵＲＬを使用する参照として、扱われるであろう。コンテンツのソースはＤＮＳにより固有の方法で解析されるので、その発信は、そのコンテンツがアクセスプロバイダのネットワークを通過することを許可される前に、公表者及びネットワーク登録システムにより確認され得る。
【００４８】
もし広告主３００が以前に登録されており、かつその正しいＩＰアドレスを入力したならば、ＤＮＳにより返される値は、この特定の広告主３００のために入力された値と一致するであろう。そして、このことは、ＣＥＭＳが公表者の真性及び整合性を確認することを可能にする。もし広告主３００が以前に登録されておらず、又は、広告主３００のプロファイルに格納されたデータがＤＮＳの値と一致しないならば、ＣＥＭＳは、そのコンテンツが問題のネットワークを通過することを禁止し又は抑制し得る。例えば、ＣＥＭＳは、リンク、ファイル又はドキュメントをサイト１００から除去することにより、広告主３００のコンテンツを裸にし得る。ある実施形態では、参照の名前、ＵＲＬ、ＤＮＳ要求有り又は無しの論理名、ＭＩＭＥタイプ（例えば、ｊｐｇ、ｍｐ４等）、プロトコル、又は他のアプローチに基づいて、コンテンツがブロックされ得る。もしブロックされたコンテンツに代わる代替コンテンツが提供されないならば、ＨＴＴＰエラー（例えば、４０４エラー（ページ不在））のようなエラーメッセージが、ブロックされたコンテンツの代わりに供給され得る。ある実施形態では、もしそのコンテンツが閲覧者端末に届くことを妨げられるならば、ブロックされたコンテンツから代わるように、システムにより他のコンテンツが選択されかつ置き換えられ、その置換コンテンツがユーザ端末に周囲のコンテンツ（ある場合）とともに表示され得る。代替コンテンツは、必要に応じて、少なくとも部分的にユーザへの関連性、周囲のコンテンツへの関連性、サイズ、メディアタイプ、代替コンテンツの公表者が支払った料金、及び／又は、その他に基づいて選択され得る。ある実施形態では、４０４エラー（ページ不在）のようなＨＴＴＰエラーが提供され、その後に置換コンテンツに上書きされ又は置換され得る。
【００４９】
もしその広告主３００がレジストリに登録されているが、その広告データが認証に失敗したなら、Ｅメール、インスタントメッセージ、ショートメッセージ、アプリケーション、又は他の技術によって、システムによりその登録された広告主へメッセージ又はエラーステータスが送られ得る。また、そのメッセージ又はエラーステータスは、レジストリ・データベースの中にログが取られ得る。そして、これは、その広告主が閲覧できるように、広告主アカウントユーザインターフェイスを介して提供され得る。しかしながら、必要に応じて、広告主３００にとって、アクセスプロバイダネットワークを通過することを許可されるために認証されることは十分でない。また必要に応じて、そのコンテンツがネットワークを通過することを許可される前に各コンテンツプロバイダ又は広告主が満たさなければならない、いくつかのルール又は必要条件が存在し得る。
【００５０】
広告主自身が、彼らの広告がどこに（例えば、ページ又はウェブサイトに）表示されるかについて敏感であり得る。例えば、ブランド会社は、不健全なウェブサイトに広告が表示されることを避けるかもしれない。逆に、成人向けの製品をターゲットにしている会社は、特に不健全なウェブサイトに広告が表示されることを望むかもしれない。加えて、ウェブサイトが、そのサイトに表示される広告のタイプに敏感であり得る。ある実施形態は、いかにしてまたどこで広告が表示されることをＣＥＭＳが許可するかを律するルールを、広告主が明示することを可能にする。
【００５１】
例えば、図５及び図６は、公表者のインターネット証明書を確認する際に助力するように、またシステムルールを適用するにあたり、ＤＮＳを利用する他の例示的プロセスを示している。この例では、不健全なウェブサイト１０１が不健全なコンテンツ２０１を提供しており、その記事の隣に又は同じ行に、大きな広告ネットワーク又は周知の広告主３０１からの広告が埋め込まれている。例えば、不健全なコンテンツは、ポルノ、ギャンブル、暴力、又は、あるユーザの感情を損なう種々の他のタイプのコンテンツに関連するものであり得る。
【００５２】
この例では、不健全なウェブサイト１０１が、公表者及びネットワーク登録システムに公表者として前もって登録され、かつサイト１０１がそこから公表する公知のＩＰアドレスがリストされているかもしれない。公表された不健全なコンテンツは、そのレジストリ識別子とこのコンテンツに関する他の属性とを参照するＨＴＭＬコンテンツタグにカプセル化され得る。同様に、広告主３０１もまた、広告と広告タグとを提供して、そのコンテンツを、そのレジストリ識別子とそのコンテンツを記述する他の属性とを参照するＨＴＭＬタグにカプセル化し得る。
【００５３】
例として、広告主は、その広告主の広告を配置する際に広告主を確認するためにシステムによって使用され得る、そのエンティティとＩＰアドレスとを登録し得る。広告主又は他のエンティティも、システムにより提供されたフォームを介して又は他の方法で、特定の広告３０１が健全なウェブサイトにのみ表示されるべきものであるかどうか、すなわち、その広告３０１が健全層向けかどうかを明示し得る。同様に、広告主又は他のエンティティは、システムにより提供されたフォームを介して又は他の方法で、特定の広告３０１が不健全なウェブサイトにのみ表示されるべきものであるかどうか、すなわち、その広告３０１が不健全層向けかどうかを明示し得る。例えば、上記のように、あるブランドは、そのブランドを毀損しないように、健全なウェブサイトに広告を表示することのみを希望し得る。広告３０１のこのようなカテゴリ化は、広告主によって提供され、又は、他のエンティティにより決定され得る。必要に応じて、１つ又は複数の広告タグ自体が、これらの属性を含み得る。前述のように、ある実施形態では、これらの属性のうちの１つ以上が広告タグ自体から除外され得る。ある実施形態では、カテゴリ化は、サイト／場所ドリブンであり得る。例えば、不健全なコンテンツは、ホテル（私的に）では許可されるかもしれないが、公衆のカフェでは許可されないかもしれない。したがって、ある実施形態では、同じ公表者からの同じ広告が、場所に応じて異なる扱い方をされ得る。前述のように、もし不健全なコンテンツがブロックされたならば、それに代えて異なる広告が表示されるように配置され得る。種々の実施形態にて、置換広告は、同じ公表者から、又は異なる公表者から選択され得る。
【００５４】
必要に応じて、前述のタグ及び／又は他の関連する属性は、閲覧者端末へ届くように広告の通過を許可するかどうか、又は、その広告が閲覧者端末に届くこと及び／又は閲覧者端末に表示されることを禁止するかどうかを決定するために、システムにより使用されるべき、対応するアクセスルールをシステムが特定することを可能にし得る。例えば、もしその広告３０１が（例えば、各広告タグによって）システムにより健全層向けであると決定されたならば、システムは、そのコンテンツ２０１が不健全であるとのシナリオでは、その広告が閲覧者端末へ届くことを禁止し得る。もしその広告が閲覧者端末へ届くことを禁止されるならば、禁止された広告が他の広告にシステムによって置換され得る。そして、その置換広告は、ユーザ端末に周囲のコンテンツ（もし、あれば）とともに表示され得る。ある実施形態では、不健全な広告が、ブロックされた広告の代わりに選択され得る。
【００５５】
この例示の目的で、広告主からの広告が１つ以上のネットワークプロバイダシステムを通過することを許可され、かつユーザ端末に表示されることを許可されるかどうかを決定するに際し、
その広告主は、以前にレジストリに登録されていない、
その広告主は、以前にレジストリに登録されているが、料金不払い又は支払い契約への加入をしていないため、その広告主のアカウントが有効でない、
その広告主は、以前にレジストリに登録され、かつ、確認されるべきかつ通過を許可されるための全ての情報を提供している、
その広告主は、以前にレジストリに登録されているが、確認されるべき全ての情報を提供してはいない、
その広告主は、以前にレジストリに登録され、かつ確認されるべき全ての情報を提供しているが、特定の条件により、あるいは、少なくとも部分的にネットワーク所有者により設定されたルールに基づき、通過を許可されていない、
タグは以前に登録された広告主を表示しているが、認証の失敗又は明白な不正により、禁止されている、
というシナリオが起こり得る。
【００５６】
例示の目的でこの例を簡略化するために、不健全なサイト１０１は以前に公表者及びネットワーク登録システムに登録され、かつ彼らのコンテンツが通過を許可されるために必要な認証を満足するため、この認証の例においては、広告主に特有の基準のみを議論するものとする。更に、不健全なサイト１０１は、公表者及びネットワーク登録システムによって（サイト１０１自体によるか、他のエンティティによるか）、それが不健全であることが確認されている。ある実施形態では、公表者及びネットワーク登録システムは、確認された不健全サイトのリストを保持し得る。ある実施形態では、サイト１０１は、それが不健全としてカテゴリ化され得るかどうかを決定するために、公表者及びネットワーク登録システムによって解析され得る。
【００５７】
もしＨＴＴＰ及び同様のインターネットプロトコルがコンテンツをソース公表者にリンクするためにＵＲＬ参照を使用するならば、この場合の広告主３０１のコンテンツは、サイト公表者１０１から直接に、あるいは、広告タグ又は広告主のコンテンツ若しくは広告へリンクするＵＲＬを使用する参照として、扱われるであろう。コンテンツのソースはＤＮＳにより解析されるので、その発信は、そのコンテンツがアクセスプロバイダのネットワークを通過することを許可される前に、公表者及びネットワーク登録システムにより確認され得る。
【００５８】
もし広告主３０１が以前に登録されており、かつその正しいＩＰアドレスを入力したならば、システムは、ＤＮＳにより返された値がこの特定の広告主３０１のために入力された値と一致すると決定するので、その公表者の真性及び整合性を確認する。もし広告主３０１が以前に登録されておらず、又は、広告主３０１のプロファイルに格納されたデータがＤＮＳの値と一致しないならば、システムは、そのコンテンツがネットワークを通過することを禁止するであろう。例えば、ＣＥＭＳは、リンク、ファイル又はドキュメントをサイト１０１から除去することにより、広告主３０１のコンテンツを裸にし得る。
【００５９】
もし広告主３０１が以前に登録されているが、その広告が健全層向けであると確認されるとシステムが決定すれば、システムは、その広告が不健全サイトのウェブページに表示されることを禁止し得る。もしブロックされたコンテンツに代わる代替コンテンツが提供されないならば、ＨＴＴＰエラー（例えば、４０４エラー（ページ不在））のようなエラーメッセージが、ブロックされたコンテンツの代わりに供給され得る。ある実施形態では、もしそのコンテンツが閲覧者端末に届くことを妨げられるならば、ブロックされたコンテンツから代わるように、システムにより他のコンテンツが選択されかつ置き換えられ、その置換コンテンツがユーザ端末に周囲のコンテンツ（ある場合）とともに表示され得る。代替コンテンツは、必要に応じて、少なくとも部分的にユーザへの関連性、周囲のコンテンツへの関連性、サイズ、メディアタイプ、代替コンテンツの公表者が支払った料金、及び／又は、その他に基づいて選択され得る。ある実施形態では、４０４エラー（ページ不在）のようなＨＴＴＰエラーが提供され、その後に置換コンテンツに上書きされ又は置換され得る。ある実施形態では、置換広告は、ブロックされた広告に代えて挿入され得る。例えば、不健全層向けの広告が、ブロックされた広告の代わりに挿入され得る。必要に応じて、システムにより決定されてそのコンテンツが許可される前に各コンテンツプロバイダ又は広告主が満たさなければならない、いくつかのルール又は必要条件が存在し得る。
【００６０】
上記のように、成人向けの製品をターゲットにしている会社は、特に不健全なウェブサイトに広告が表示されることを望むかもしれない。また、不健全層向けの広告を健全ウェブサイトに表示することが望まれないこともあり得る。
【００６１】
例えば、図７及び図８は、公表者のインターネット証明書を確認する際に助力するように、またシステムルールを適用するにあたり、ＤＮＳを利用する他の例示的プロセスを示しており、ここでは健全なウェブサイト１０２が健全なコンテンツ２０２を提供する。健全なコンテンツ２０２の隣に又は同じ行に、広告３０２が埋め込まれている。種々の実施形態では、健全コンテンツは、一般人向けであり、あるユーザの感情を損なうコンテンツを少ししか又は全く含まないものであり得る。
【００６２】
広告主又は他のエンティティは、システムにより提供されたフォームを介して又は他の方法で、広告主３０２からの特定の広告が健全なウェブサイトにのみ表示されるべきものであるかどうか、すなわち、その広告主３０２からの広告が健全層向けかどうかを明示し得る。同様に、広告主又は他のエンティティは、システムにより提供されたフォームを介して又は他の方法で、特定の広告３０２が不健全なウェブサイトにのみ表示されるべきものであるかどうか、すなわち、その広告３０２が不健全層向けかどうかを明示し得る。例えば、上記のように、あるブランドは、所望のユーザに届くように、不健全なウェブサイトに広告を表示することのみを希望し得る。広告主３０２からのコンテンツのこのようなカテゴリ化は、広告主によって提供され、又は、他のエンティティにより決定され得る。必要に応じて、広告タグ自体が、これらの属性を含み得る。前述のように、ある実施形態では、これらの属性のうちの１つ以上が広告タグ自体から除外され得る。
【００６３】
必要に応じて、前述のタグ及び／又は他の関連する属性は、閲覧者端末へ届くように広告の通過を許可するかどうか、又は、その広告が閲覧者端末に届くこと及び／又は閲覧者端末に表示されることを禁止するかどうかを決定するために使用されるべき、対応するアクセスルールをシステムが特定することを可能にし得る。例えば、もしその広告主３０２からのコンテンツが（例えば、各広告タグによって）システムにより不健全層向けであると決定されたならば、システムは、そのコンテンツ２０２が健全であるとのシナリオでは、その広告が閲覧者端末へ届くことを禁止し得る。もしその広告が閲覧者端末へ届くことを禁止されるならば、禁止された広告が他の広告にシステムによって置換され、その置換広告は、ユーザ端末に周囲のコンテンツ（もし、あれば）とともに表示され得る。ある実施形態では、健全な広告が、ブロックされた広告の代わりに選択され得る。
【００６４】
この例示の目的で、広告主からの広告が１つ以上のネットワークプロバイダシステムを通過することを許可され、かつユーザ端末に表示されることを許可されるかどうかを決定するに際し、
その広告主は、以前にレジストリに登録されていない、
その広告主は、以前にレジストリに登録され、かつ、確認されるべきかつ通過を許可されるための全ての情報を提供している、
その広告主は、以前にレジストリに登録されているが、料金不払い又は支払い契約への加入をしていないため、その広告主のアカウントが有効でない、
その広告主は、以前にレジストリに登録されているが、確認されるべき全ての情報を提供してはいない、
その広告主は、以前にレジストリに登録され、かつ確認されるべき全ての情報を提供しているが、特定の条件により、あるいは、少なくとも部分的にネットワーク所有者により設定されたルールに基づき、通過を許可されていない、
タグは以前に登録された広告主を表示しているが、認証の失敗又は明白な不正により、禁止されている、
その広告主は、以前にレジストリに登録され、かつ確認されるべき全ての情報を提供しているが、その広告が不健全層向けであると認定されたため、健全サイトに表示されることを許可されていない、
というシナリオが起こり得る。
【００６５】
例示の目的でこの例を簡略化するために、健全なサイト１０２は以前に公表者及びネットワーク登録システムに登録され、かつ彼らのコンテンツが通過を許可されるために必要な認証を満足するため、この認証の例においては、広告主に特有の基準のみを議論するものとする。更に、健全なサイト１０２は、公表者及びネットワーク登録システムによって（サイト１０２自体によるか、他のエンティティによるか）、それが健全であることが確認されている。ある実施形態では、公表者及びネットワーク登録システムは、確認された健全サイトのリストを保持し得る。ある実施形態では、サイト１０２は、それが健全としてカテゴリ化され得るかどうかを決定するために、公表者及びネットワーク登録システムによって解析され得る。
【００６６】
もしＨＴＴＰ及び同様のインターネットプロトコルがコンテンツをソース公表者にリンクするためにＵＲＬ参照を使用するならば、この場合の広告主のコンテンツは、サイト１０２から直接に、あるいは、広告タグ又は広告主のコンテンツ若しくは広告へリンクするＵＲＬを使用する参照として、扱われるであろう。コンテンツのソースはＤＮＳにより解析されるので、その発信は、そのコンテンツがアクセスプロバイダのネットワークを通過することを許可される前に、公表者及びネットワーク登録システムにより確認され得る。
【００６７】
もし広告主３０２が以前に登録されており、かつその正しいＩＰアドレスを入力したならば、システムは、ＤＮＳにより返された値がこの特定の広告主３０２のために入力された値と一致すると決定するので、その公表者の真性及び整合性を確認する。もし広告主３０２が以前に登録されておらず、又は、広告主のプロファイルに格納されたデータがＤＮＳの値と一致しないならば、システムは、そのコンテンツがネットワークを通過することを禁止するであろう。例えば、ＣＥＭＳは、リンク、ファイル又はドキュメントをサイト１０２から除去することにより、広告主３０２のコンテンツを裸にし得る。
【００６８】
もし広告主３０２が以前に登録されているが、その広告が不健全層向けであると確認されるとシステムが決定すれば、システムは、その広告が健全サイトのウェブページに表示されることを禁止し得る。もしブロックされたコンテンツに代わる代替コンテンツが提供されないならば、ＨＴＴＰエラー（例えば、４０４エラー（ページ不在））のようなエラーメッセージが、ブロックされたコンテンツの代わりに供給され得る。ある実施形態では、もしそのコンテンツが閲覧者端末に届くことを妨げられるならば、ブロックされたコンテンツから代わるように、システムにより他のコンテンツが選択されかつ置き換えられ、その置換コンテンツがユーザ端末に周囲のコンテンツ（ある場合）とともに表示され得る。ある実施形態では、４０４エラー（ページ不在）のようなＨＴＴＰエラーが提供され、その後に置換コンテンツに上書きされ又は置換され得る。ある実施形態では、置換広告は、ブロックされた広告に代えて挿入され得る。例えば、健全層向けの広告が、ブロックされた広告の代わりに挿入され得る。必要に応じて、システムにより決定されてそのコンテンツが許可される前に各コンテンツプロバイダ又は広告主が満たさなければならない、いくつかのルール又は必要条件が存在し得る。
【００６９】
ある実施形態では、ウェブサイトが公表者及びネットワーク登録システムによって、脆弱である（例えば、コンテンツをブロックし又は置換するに際して機能障害を起こしやすい。）と証明され得る。そのように証明された脆弱なサイトに対し、システムは、広告をブロックしたり置換したりすることを差し控えるかもしれない。これらのサイトは、脆弱であるとシステムに伝達し得る。あるいは、そのようなサイトが脆弱であるかどうかをシステムが独立して決定し得る。
【００７０】
公表者及びネットワーク登録システムは、インターネットアクセスプロバイダが可能性のあるウィルスから顧客を保護することを助けることもあり得る。なぜなら、当該システムは、必要に応じて、コンピュータに届けられた、与えられたスクリプトのソースを確認するからである。また、当該システムは、より低いバンド幅のコンテンツオプションを積極的に又はデフォルトとして選択し、コンテンツをブロックし、あるいはコストの高いコンテンツをより好ましいコンテンツに置換するコンテンツ公表者ルールを必要に応じて導入することにより、インターネットアクセスプロバイダがバンド幅をより上手く管理することを助けることもあり得る。
【００７１】
公表者及びネットワーク登録システムは、コンテンツのエントリが許可された時と場合を、またコンテンツが禁止された時と場合（例えば、いずれの私的ネットワークで、いずれの端末で）を、公表者が閲覧することを可能にするレポートサービスをも提供し得る。コンテンツが許可されなかったとき、データベースは、格付の障害、不適切コンテンツ、不十分なエントリ料金、競合者への敗北、又はインターネットアクセスプロバイダにより導入されたルール若しくは要件に係る他の理由のような、そのコンテンツが許可されなかった理由を記録しかつ報告し得る。
【００７２】
多くの場合、いくつかのインターネットアクセスプロバイダが公表者からエンドユーザへの完全なパスを形成するために互いに結合されることがあり得る。このような直列のネットワーク結合は、各結合セグメントがコンテンツ認証レジストリに登録され得る、コンテンツ配信ネットワークを意味し得る。
【００７３】
コンテンツ認証レジストリサービスもまた、コンテンツが許可された時と場合、あるいは特定のネットワーク又はその一部を通じたアクセスが否認された時と場合を追跡しかつ報告することを可能にするために、インターネットアクセスプロバイダが、このレジストリに彼らのネットワーク又はネットワークノードを登録することを可能にし得る。
【００７４】
このシステムの他の選択的な特徴は、ＤＮＳポイズニング又はＤＮＳリダイレクトの回避を助ける能力である。これは、ＤＮＳサーバが改変されている場合、又は、規定外の信頼の置けないＤＮＳサーバがリクエストＵＲＬと正規のＤＮＳサーバとの間に位置する場合に起こる。例示的な公表者及びネットワーク登録システムの実施形態は、解析されたＩＰアドレスと登録されたＩＰアドレスとを比較することによって、認証されたソースから公表されたコンテンツであることを確認するのを助ける。不正なＤＮＳが存在するとき、システムがＤＮＳリクエストを横取りすることは可能であるが、ＵＲＬに対して返されたＩＰアドレスは、公表者及びネットワーク登録システムに登録されたＩＰアドレスと一致しないであろう。したがって、エラー又は警告の条件がシステムにより生成される結果となる。
【００７５】
ここに記載した、いくつかの実施形態では、公表者及びネットワーク登録システムは、公表者が登録され、かつコンテンツが他の存在する基準を満たすのでなければユーザへのコンテンツの提示がブロックされる、「許可」リストとして動作する。しかしながら、他の実施形態では、公表者及びネットワーク登録システムは、コンテンツがシステムにより許可できないと確認されるのでなければユーザによって閲覧されるようにコンテンツの通過が許可される、「ブロック」リストとして動作するように構成され得る。例えば、システムは、Ｄｏｕｂｌｅ−ＣｌｉｃｋやＶａｌｕｅ−Ｃｌｉｃｋのような特定の公表者によって提供された全ての広告をブロックするように構成され得る。
【００７６】
ある実施形態は、ハードウェア、媒体に格納されたソフトウェア、又は、ハードウェアとソフトウェアとの組み合わせとして構成され得る。例えば、ある実施形態は、ソフトウェアを実行するように構成された１つ以上のコンピュータデバイス（例えば、サーバ又は１つ以上のプロセッサを含む他のコンピュータデバイス、有線及び／又は無線のネットワークインターフェイス（例えば、携帯電話、Ｗｉ−Ｆｉ、Ｂｌｕｅｔｏｏｔｈ、Ｔ１、ＤＳＬ、ケーブル、光学、又はインターネットに接続可能な他のインターフェイス）、コンテンツデータベース、顧客アカウントデータベース等）によりアクセス可能な、有形かつ非一時的なコンピュータ読み取り可能な媒体（例えば、磁気メモリ／ディスク、光学メモリ／ディスク、ＲＡＭ、ＲＯＭ、ＦＬＡＳＨメモリ、他の半導体メモリ等）に格納された、ソフトウェア／プログラムの命令／モジュールを含み得る。データ記憶（例えば、データベース）は、ここで説明した情報のうちのいくらか又は全てをメモリに格納するのに使用され得る。
【００７７】
例として、与えられたコンピュータデバイスは、必要に応じて、１つ以上のディスプレイ、キーボード、タッチスクリーン、スピーカ、マイクロホン、マウス、トラックボール、タッチパッド、チルトセンサ、加速度計、バイオメトリックセンサ（例えば、ユーザを認証するための指紋又は顔認識センサ）、プリンタ等のうちのいくつか又は全てのような、ユーザインターフェイスデバイスを含み得る。コンピュータデバイスは、必要に応じて、ＣＤ、ＤＶＤ、ブルーレイ、テープ、磁気ディスク、半導体メモリ、又は、他の光学式、磁気式及び／若しくは半導体式のメディアデバイスのような、メディア読み書きデバイスを含み得る。ユーザ端末のようなコンピュータデバイスは、汎用コンピュータ、パーソナルコンピュータ、ラップトップ、タブレットコンピュータ、携帯式又は固定式の電話、インタラクティブテレビ、ディスプレイに接続されたセットトップボックス等のような形式であり得る。ある実施形態は、ここに記載された何百（又はそれ以上）ものトランザクション及びプロセスを1秒以内に実行し得る。
【００７８】
ある実施形態はいくらかの例示的な構成要素を持つものとして説明又は議論をしてきたが、付加的な、より少ない、又は他の構成要素を使用してもよい。あるシステムによって実行されるように説明したプロセスは、ユーザ端末又は他のシステムによって実行されてもよい。ユーザ端末によって実行されるように説明したプロセスは、他のシステムによって実行されてもよい。与えられたソースからアクセスされるように説明したデータは、他のソースによって格納されかつアクセスされてもよい。ここで説明したデータ転送は、有線及び／若しくは無線のネットワーク又は他の通信リンクを介してもよい。更に、ここで説明したプロセスに関し、種々の状態は、異なる順序でも実行し得る。必ずしも全ての状態に到達しなければならない訳ではない。また、より少ない、付加的な、又は異なった状態も利用され得る。
【００７９】
ここで説明したユーザインターフェイスは、必要に応じて、ブラウザ、他のネットワークリソースビューワ、又はその他を用いたユーザコンピュータデバイスを介して提供され（かつ、ユーザインストラクションが受け取られ）得る。例えば、ユーザインターフェイスは、ユーザの携帯電話、ラップトップ、パッド、デスクトップ、テレビ、セットトップボックス、電話、又は他の端末にインストールされたアプリケーション（時折、「アプリ」と称される。）を介して提供され（かつ、必要に応じてユーザインストラクションが受け取られ）得る。異なる実施形態又は異なるユーザインターフェイスとして提示されるように説明又は議論をされた種々の特徴は、組み合わされて、１つの実施形態又は１つのユーザインターフェイスとされてもよい。ウェブページを参照してきたが、他のタイプの電子文書（ＨＴＭＬに基づかないものを含む。）を使用してもよい。ウェブサイト参照してきたが、他のネットワークリソースを使用してもよい。
【００８０】
実施形態の種々の観点及び利点を、適切な場合に説明してきた。特定の実施形態では、必ずしもそのような観点及び利点の全てが達成される必要はない、と理解されるべきである。したがって、例えば、種々の実施形態は、ここに教示され又は示唆され得た他の観点又は利点を必ずしも実行することなく、ここに教示された１つの利点又は一群の利点を実行し又は最適化する態様で実行され得る、と認識されるべきである。更に、実施形態は、そのうちのいずれも単独では実施形態の好ましい属性の原因ではないような、あるいは、ここに説明したシステム、デバイス、方法、及び技術を実施化するのに必須であるような、いくつかの新規な特徴を含み得る。加えて、異なる実施形態の種々の特徴は、他の実施形態を形成するように組み合わせることも可能である。例えば、異なるユーザインターフェイス中の観点は、他のユーザインターフェイスを形成するように組み合わされてもよい。
【００８１】
好ましい実施形態又は実施例の文脈中に本発明を開示してきたが、本発明は、特定の開示された実施形態を超えて、本発明の他の代替の実施形態又は利用、並びに、その自明な変形及び均等物へ拡張されると、当業者により理解されるであろう。したがって、ここに開示された本発明の範囲は上記開示した特定の実施形態によって限定されるべきでない、ということが意図されている。
【図２】
2015523632.tif 000003
【図３】
2015523632.tif 000004
【図４】
2015523632.tif 000005
【図５】
2015523632.tif 000006
【図６】
2015523632.tif 000007
【図７】
2015523632.tif 000008
【図８】
2015523632.tif 000009
【図１】
2015523632.tif 000010
【国際調査報告】
2015523632.tif 000011
2015523632.tif 000012